(57)【要約】【課題】  電源オン時に、内部の装置の準備動作が完了するまでの待ち時間を、利用者が有効利用できる映像表示装置。【解決手段】  映像表示装置の内部の装置は、電源オンから実際に利用できる状態になるまでに、数秒から数十秒かかるものがあり、この待ち時間に表示部に映像を表示する映像表示装置において、利用者が表示する映像を任意に選択することができ、ＯＳＤ表示として画面右上コーナーに残り待ち時間を数字によって表示し、カウントダウンすることにより、待ち時間の終了予定時刻を容易に判断することができる。また、この数字は図示しない映像表示装置の操作部やリモコンにより増減することができ、映像の視聴を継続したい場合にも対応可能である。【選択図】      図４
0003113502.tif 000002
【実用新案登録請求の範囲】
【請求項１】
電源投入から装置が起動するまでの準備動作時における待ち時間の間に所定の動画又は画像を表示する映像表示装置において、前記起動するまでの待ち時間が、該準備動作が終えた後も任意の時間、継続処理する制御手段を設けたことを特徴とする待ち時間設定機能を備えた映像表示装置。
【請求項２】
前記制御手段により、前記待ち時間の終了予定時刻を任意に延長できることを特徴とする請求項１に記載の待ち時間設定機能を備えた映像表示装置。
【請求項３】
前記制御手段が不揮発性記憶媒体を備え、前記待ち時間中において前記不揮発性記憶媒体に記憶された動画又は画像を前記映像表示装置の映像表示部に表示するように構成したことを特徴とする請求項１又は２に記載の待ち時間設定機能を備えた映像表示装置。
【請求項４】
前記待ち時間中に前記映像表示部に表示される動画又は画像が、初期設定として記憶された動画又は画像であることを特徴とする請求項３に記載の待ち時間設定機能を備えた映像表示装置。
【請求項５】
前記動画又は画像は、利用者がテレビジョン放送若しくは記憶媒体に記憶した映像データの再生映像の視聴時に任意に記憶した動画又は画像であることを特徴とする請求項３に記載の待ち時間設定機能を備えた映像表示装置。
【考案の詳細な説明】
【技術分野】
【０００１】
本考案は、電源投入から装置が起動するまでの準備動作にかかる時間（以下、待ち時間と称す。）に所定の動画又は画像を表示する映像表示装置、特に動画又は画像が表示される待ち時間が任意に延長可能とする待ち時間設定機能を備えた映像表示装置に関する。
【背景技術】
【０００２】
従来、ＨＤＤ（Ｈａｒｄ  Ｄｉｓｋ  Ｄｒｉｖｅ）レコーダー付きのテレビジョン受像機など、記憶及び／又は再生装置を備える近年の映像表示装置は、電源をオンにしてからＨＤＤを含めて装置が起動して利用可能になるまでに、数秒から数十秒の準備動作をするための待ち時間が必要である。
【０００３】
このような待ち時間の間、機器が正常に動作していることを利用者に通知するべく、特許文献１では、待ち時間中に断続的に保留音を発生させ、待ち時間の残り時間に応じて保留音発生のピッチを短縮するという方法と、テレビジョン受像機において、利用者が選択したチャンネルの映像を表示するとともに、他のチャンネルの放送信号を受信し、利用者によりチャンネルが切り替えられ、それに伴う待ち時間中に、事前に受信した切り替え後のチャンネルの信号を読み出し、出力することにより、待ち時間を利用して切り替え後のチャンネルの番組内容を利用者に伝えるという方法が開示されている。
【０００４】
また、特許文献２では、待ち受け状態におけるディスプレイ表示を、利用者が事前に記憶された複数の映像から、自由に設定できるデジタル情報処理装置について開示されている。
【０００５】
【特許文献１】特開２００１−７７２２号公報
【特許文献２】特開２００４−２３５６２号公報
【考案の開示】
【考案が解決しようとする課題】
【０００６】
しかしながら、特許文献１、２の映像表示装置は、立ち上げ時における準備動作の待ち時間に映像などを表示・再生を行う際に、利用者がその映像を継続して視聴したい場合でも、準備動作が終了すると、強制的に通常利用可能な状態になってしまうという欠点があった。また、待ち時間に表示する映像も、事前に装置内に記憶された映像であり、利用者の嗜好を反映した映像にすることはできなかった。
【０００７】
本考案は上記課題を鑑みてなされたものであり、利用者の嗜好に応じた動画または画像を立ち上げ時間中に表示・再生することができ、その表示・再生時間を任意に延長できる待ち時間設定機能を備えた映像表示装置を提供することを目的とする。
【課題を解決するための手段】
【０００８】
請求項１に係る待ち時間設定機能を備えた映像表示装置は、電源投入から装置が起動するまでの準備動作時における待ち時間の間に所定の動画又は画像を表示する映像表示装置において、前記起動するまでの待ち時間が、該準備動作が終えた後も任意の時間、継続処理する制御手段を設けたことを特徴とする。
【０００９】
請求項１の構成によれば、映像表示装置の電源をオンにした際の、該映像表示装置が備えるハードディスクの起動や、チューナによる放送信号の読み取り、チャンネル選局時などに、該映像表示装置が利用可能な状態になるまでの準備動作を行う待ち時間が必要であり、この待ち時間が終わった後にも設定した時間まで継続することができる。
【００１０】
請求項２に係る待ち時間設定機能を備えた映像表示装置は、請求項１に記載の待ち時間設定機能を備えた映像表示装置において、前記制御手段により、前記待ち時間の終了予定時刻を任意に延長できることを特徴とする。
【００１１】
請求項２の構成によれば、事前に任意の終了時間に設定した待ち時間を、映像表示装置の操作部若しくはそれを遠隔操作するリモコンにより、延長することができる。
【００１２】
請求項３に係る待ち時間設定機能を備えた映像表示装置は、請求項１又は２に記載の待ち時間設定機能を備えた映像表示装置において、前記制御手段が不揮発性記憶媒体を備え、前記待ち時間中において前記不揮発性記憶媒体に記憶された動画又は画像を前記映像表示装置の映像表示部に表示するように構成したことを特徴とする。
【００１３】
請求項３の構成によれば、待ち時間中の映像表示装置の映像表示部に、映像表示装置内部に備える記憶媒体に事前に初期設定として動画又は画像を不揮発性記憶媒体に記憶し、映像表示装置の起動が完了するまでの待ち時間中に、記憶した動画又は画像を映像表示装置の表示部に表示することができる。
【００１４】
請求項４に係る待ち時間設定機能を備えた映像表示装置は、請求項３に記載の待ち時間設定機能を備えた映像表示装置において、前記待ち時間中に前記映像表示部に表示される動画又は画像が、初期設定として記憶された動画又は映像であることを特徴とする。
【００１５】
請求項４の構成によれば、予め初期設定として不揮発性記憶装置に動画又は画像を記憶させ、それを待ち時間中に表示することができる。
【００１６】
請求項５に係る待ち時間設定機能を備えた映像表示装置は、請求項３に記載の待ち時間設定機能を備えた映像表示装置において、前記動画又は画像は、利用者がテレビジョン放送若しくは記憶媒体に記憶した映像データの再生映像の視聴時に任意に記憶した動画又は画像であることを特徴とする。
【００１７】
請求項５の構成によれば、テレビジョン放送や他の映像再生機器等から出力された映像を視聴している際に、放送中の動画又は画像を利用者の指示により不揮発性記憶媒体に記憶させ、それを待ち時間中に表示することができる。
【考案の効果】
【００１８】
請求項１に係る待ち時間設定機能を備えた映像表示装置は、電源投入から装置が起動するまでの準備動作時における待ち時間の間に所定の動画又は画像を表示する映像表示装置において、前記起動するまでの待ち時間が、該準備動作が終えた後も任意の時間、継続処理する制御手段を設けたので、利用者が待ち時間中に視聴する動画又は画像が途中で終了することがないよう終了時間の延長を行うことができる。
【００１９】
請求項２に係る待ち時間設定機能を備えた映像表示装置は、請求項１に記載の待ち時間設定機能を備えた映像表示装置において、前記制御手段により、前記待ち時間の終了予定時刻を任意に延長できるので、待ち時間中に表示する動画又は画像が事前に設定された終了時刻以降でも利用者が視聴を望む場合、任意のタイミングで表示時間の延長を行うことができる。
【００２０】
請求項３に係る待ち時間設定機能を備えた映像表示装置は、請求項１又は２に記載の待ち時間設定機能を備えた映像表示装置において、前記制御手段が不揮発性記憶媒体を備え、前記待ち時間中において前記不揮発性記憶媒体に記憶された動画又は画像を前記映像表示装置の映像表示部に表示するように構成したので、別の記憶媒体及び再生装置を用いることなく、映像表示装置内部の不揮発性記憶媒体から動画又は画像を読み込み、待ち時間中に映像表示装置の表示部に動画又は画像を表示することができる。
【００２１】
請求項４に係る待ち時間設定機能を備えた映像表示装置は、請求項３に記載の待ち時間設定機能を備えた映像表示装置において、前記待ち時間中に前記映像表示部に表示される動画又は画像が、初期設定として記憶された動画又は画像であるので、利用者は特別な設定をすることなく映像表示装置の電源オン時の待ち時間中に映像を表示させることができる。
【００２２】
請求項５に係る待ち時間設定機能を備えた映像表示装置は、請求項３に記載の待ち時間設定機能を備えた映像表示装置において、前記動画又は画像は、利用者がテレビジョン放送若しくは記憶媒体に記憶した映像データの再生映像の視聴時に任意に記憶した動画又は画像であるので、利用者は自分の嗜好に合った映像を、放送番組から任意に選択し、不揮発性記憶媒体に記憶させることができ、待ち時間中に表示する動画又は画像とすることができる。
【考案を実施するための最良の形態】
【００２３】
以下、本考案を実施するための最良の形態としての実施例を図１から図４を参照して説明する。もちろん、本考案は、その考案の趣旨に反さない範囲で、実施例において説明した以外のものに対しても容易に適用可能なことは説明を要するまでもない。
【実施例】
【００２４】
図１〜図４は、本考案の実施例を示し、図１は、本考案の実施例の映像表示装置の構成を示すブロック図である。図２は、映像表示装置の電源オン時の動作を示すフローチャート図であり、図３は、立ち上げ時の待ち時間設定及び動画又は画像の設定例を示す表示部の正面図である。図４は、待ち時間終了のカウンタを表示した表示部を示す正面図である。
【００２５】
図１に基づいて本実施例における映像表示装置の構成を説明する。１は映像表示装置に搭載される待ち時間及び待ち時間中に表示する動画又は画像（以下、総称して映像と称す）を制御する制御手段たるマイコンである。２は待ち時間中に表示する映像などを記憶する不揮発性記憶媒体である。３は映像表示装置において、映像を表示する表示部であり、４は表示部３に対して映像信号を処理して送る映像音声処理部である。５は放送電波を受信し、映像音声処理部４に放送信号を送るチューナである。６は、受信した放送信号を記憶する記憶媒体であり、７はマイコン１の動作のために使用するランダムアクセスメモリ（ＲＡＭ）である。
【００２６】
次に、図２を基づいて、本実施例における映像表示装置の、電源オン時の動作について説明する。映像表示装置の電源をオンにする（Ｓ１）。マイコン１により、不揮発性記憶媒体２に待ち時間又は待ち時間に表示する映像の設定が存在するかをチェックする（Ｓ２）。存在する場合は、記憶された待ち時間の終了時間と、表示する映像を読み込む（Ｓ３）。読み込んだ待ち時間の終了時間まで、読み込んだ映像の表示を行う（Ｓ４）。不揮発性記憶媒体２に待ち時間及び待ち時間中に表示する映像の設定が存在しない場合は、装置の立ち上がりが完了する時間で待ち時間を終了するように設定する（Ｓ５）。表示部にミュート画面又は起動ロゴなどの初期設定画面を表示し、装置の起動が完了すると同時に待ち時間を終了し映像表示装置の利用を可能な状態にする。
【００２７】
次に、図３に基づいて、本実施例における映像表示装置の待ち時間の設定例を説明する。図３（ａ）は、映像表示装置の待ち時間の動作設定を行う画面を表示した状態の表示部を示す正面図である。メニューの項目に待ち時間の調整を行うための「立ち上げ時間設定」が表示されているので、それを映像表示装置の操作部やリモコンを用いて選択し、確定操作を行うと、図３（ｂ）の画面に遷移する。図３（ｂ）に示す立ち上げ時間設定の設定時間や、立ち上げ画面設定の画面名を映像表示装置の操作部若しくはリモコンの１０キー若しくはＵＰ／ＤＯＷＮキーなどを用いて変更し、所望の時間・画面名を選択し確定操作を行うことで、映像表示装置の待ち時間及び待ち時間中に表示される映像を決定する。
【００２８】
次に、図１に基づいて、本実施例における映像表示装置で表示中の放送番組の映像を、不揮発性記憶媒体に記憶し、待ち時間に表示するための映像として使用する機能について説明する。チューナ５で受信した放送番組の映像信号は映像音声処理部４によってデジタル処理がなされた映像信号となり、表示部３によって映像の表示を行うが、利用者は表示された映像を視聴して、任意の場面が表示部に表示される際に、図示しない映像表示装置の操作部若しくはリモコンを用いて、当該場面を記憶するように映像表示装置に命令する。この命令を受け、マイコン１内部の制御部によって記憶媒体６から当該場面の記憶を制御し、当該画面を不揮発性記憶媒体２に記憶する。その際、記憶した場面を識別するために連番による場面名を自動的につけることにより、待ち時間設定を行う際の画面設定時に、その名前によって指定することができる。
【００２９】
次に図４に基づいて、本実施例における映像表示装置の待ち時間中における動作を、図４を用いて説明する。図４は待ち時間中に映像を表示している状態を示す表示部の正面図である。事前に設定された映像を画面に表示し、画面右上コーナー部分に残り待ち時間（図４においては１５秒）をＯＳＤ（Ｏｎ  Ｓｃｒｅｅｎ  Ｄｉｓｐｌａｙ）表示し、カウントダウンを行う。この数字は１秒ごとに１減算され、０になると待ち時間終了となることを示している。これにより、利用者は待ち時間の終了時間を容易に把握することができる。また、この残り待ち時間を、図示しない映像表示装置の操作部若しくはリモコンのＵＰ／ＤＯＷＮキーにより、下限を映像表示装置の準備動作終了までの所定の時間として、増減させることができる。これにより、利用者は、待ち時間終了予定時刻以降も継続して待ち時間中に表示する映像の視聴を行うことができる。
【００３０】
以上のように、本実施例によれば、待ち時間の設定を不揮発性記憶媒体に記憶させ、映像表示装置の電源をオンにした時に、その設定の有無を判断し、設定されている場合は、その設定により待ち時間を変更し、映像を読み込んで待ち時間中に表示することができるので、利用者は映像を所望の待ち時間分視聴することができる。これにより、待ち時間中に利用者が待ち時間を有効に利用することができる。また、利用者が待ち時間の設定を行わない場合は、待ち時間中にロゴなどを表示し、映像表示装置の準備動作が終了したと同時に映像表示装置が利用可能となるので、電源オンから一刻も早く利用可能な状態にしたいという利用者のニーズの妨げになることもない。また、初期設定として記憶した映像の他に、利用者が所望の映像を不揮発性記憶媒体２に記憶させることができるので、利用者は待ち時間中に自分の嗜好に沿った映像を表示することができる。また、映像表示装置は、電源オン時に設定した映像を表示し、待ち時間終了と同時に通常の利用に切り替わるが、この待ち時間終了を任意に変更できるので、利用者が待ち時間中に表示した映像の視聴を継続したいという場合にも対応できる。また、待ち時間終了までの残り時間を数字としてＯＳＤ表示し、時間経過とともにカウントダウンを行うことで、利用者が映像表示装置の通常利用可能となるまでの時間を容易に把握することができる。更に、このＯＳＤ表示された残り時間の増減を可能としたことで、利用者の待ち時間中に表示する映像の視聴を継続したいというニーズにも対応可能となる。
【００３１】
本実施例において、表示中の放送番組の映像を不揮発性記憶媒体２に記憶させ、待ち時間中に表示する映像とするとしたが、特にこれに限定せず、外部の再生装置から入力される映像を待ち時間中に表示する映像として記憶してもよい。また、待ち時間中に表示させる映像としてユーザーマニュアルを記憶させることにより、待ち時間中に映像表示装置の操作方法を利用者に教示してもよい。
【図面の簡単な説明】
【００３２】
【図１】本考案の実施例における、映像表示装置の構成を示すブロック図である。
【図２】同上、映像表示装置の電源をオンにした場合の動作を示すフローチャート図である。
【図３】同上、待ち時間の設定を行う画面を表示した映像表示装置の表示部を示す正面図である。
【図４】同上、待ち時間中の映像を表示した映像表示装置の表示部を示す正面図である。
【符号の説明】
【００３３】
１  マイコン（制御手段）
２  不揮発性記憶媒体
３  表示部
【図１】
0003113502.tif 000003
【図２】
0003113502.tif 000004
【図３】
0003113502.tif 000005
【図４】
0003113502.tif 000006